(57)【要約】要約  フェルールを保持して連結相手部材の嵌合部に嵌合するフロントハウジングと、該フロントハウジングの後部側で前後方向にスライド自在に該フロントハウジングに装着されるリアハウジングとからなり、フロントハウジングは、上側外壁面に取り付けられた弾性ラッチ片を有するとともに、該ラッチ片は、前記連結相手部材の嵌合用係合部に係合するように形成されたロック用係止部と、当該嵌合用係合部から前記ロック用係止部を係合状態から解除させるように形成された解除部とを有しており、前記リアハウジングは、上側に取り付けられた解除レバーを有するとともに、該解除レバーは、リアハウジングの後退時に、前部に形成されて前記解除部に係合して解除させるフック部と、後部に形成された後退用の摘まみ部を有してなる光コネクタプラグであって、単一の操作で容易に、連結相手部材から離脱することを可能とする。選択図  図１
2015068461.tif 000002
【特許請求の範囲】
【請求項１】
フェルールを保持して連結相手部材の嵌合部に嵌合するフロントハウジングと、
該フロントハウジングの後部側で前後方向にスライド自在に該フロントハウジングに装着されるリアハウジングとからなる光コネクタプラグであって、
前記フロントハウジングは、フロントハウジング本体と、その上側外壁面に形成された弾性を有するラッチ片とを有するとともに、該ラッチ片は、前記連結相手部材の嵌合用係合部に係合するように形成されたロック用係止部と、当該嵌合用係合部から前記ロック用係止部を係合状態から解除させるように形成された解除部とを有しており、
前記リアハウジングは、筒本体と、その上側に形成された解除レバーを有するとともに、該解除レバーは、該解除レバーの前部に形成されるとともに前記ラッチ部の解除部に該リアハウジングの後退時に係合して解除作用させるためのフック部と、該解除レバーの後部に形成された後退用の摘まみ部を有してなり、
前記解除レバーに形成されたフック部は、該フロントハウジングとリアハウジングの組み立て時に、前記フック部が前記ラッチ片の解除部の下に摺接しながら入り込むとともに、
当該フック部の先端側のテーパ部で前記解除部を押し上げて当該解除部の前側に形成したスリットに進入し遊嵌されることによって組み立てられること、
を特徴とする光コネクタプラグ。
【請求項２】
前記ロック用係止部は、前記ラッチ片の左右側壁面からそれぞれ突設された左右一対のロック用係止部であるとともに、前記解除部は、前記左右一対のロック用係止部の間に形成されていること、
を特徴とする請求項１に記載の光コネクタプラグ。
【請求項３】
前記フロントハウジングの後端部には、当該後端部に前記リアハウジングを装着し前進させた状態で、当該フロントハウジングの後側に隣接する位置に、前記リアハウジングの後方へのスライドを阻止する前記阻止部材を装着させるための溝部が形成されていること、
を特徴とする請求項１または２に記載の光コネクタプラグ。
【請求項４】
前記阻止部材は、前記フロントハウジングの長手方向の軸線に対して直交する方向から前記溝部に差し込めるように、一部にスリットを有する断面Ｃ形の環状筒体に形成されていること、
を特徴とする請求項３に記載の光コネクタプラグ。
【請求項５】
前記解除レバーには、該解除レバーの前部に形成した前記フック部と後部に形成した摘まみ部との間に、前記リアハウジングを前進させるための反力部として機能する突起部が突設されていること、
を特徴とする請求項１に記載の光コネクタプラグ。
【請求項６】
さらに、前記フロントハウジングの後部に差し込まれたプラグフレームを有し、前記溝部は、該プラグフレームの後部に形成されていること、
を特徴とする請求項３に記載の光コネクタプラグ。
【発明の詳細な説明】
【技術分野】
【０００１】
本発明は、光通信機器用に広く世界で汎用される、主にＬＣ形光コネクタにおける光コネクタプラグに関するものである。
【背景技術】
【０００２】
従来、ＬＣ形光コネクタプラグは、嵌合・連結される連結相手部材であるアダプタやレセプタクルと連結・離脱するための着脱構造が、図１４Ａおよび図１４Ｂに示すように、光コネクタプラグ１５のフロントハウジング１６から上に曲がって反り上がるラッチ部１７があり、このラッチ部１７の先端部１７ｂに、リアハウジング１８においてその上部から前記ラッチ部１７に対向して延設された先端部１９ａが被さるようにして係合する解除バー１９が設けられている。【０００３】
前記ラッチ部１７の両側壁面には、連結相手部材（アダプタ等）２１の凹部に係合して抜け防止となる係合突起１７ａが突設されている。また、前記解除バー１９は、リアハウジング１８の上面から上方に延設されていて、前記ラッチ部１７の弾性力で上方の元の位置に復帰される。【０００４】
図１５Ａに示すように、前記光コネクタプラグ１５を連結相手部材２１に連結させた状態から離脱させるには、図１５Ｂに示すように、一旦、解除バー１９を指で下に押し下げてラッチ部１７における係合突起１７ａの係合を解除させ、それから当該ラッチ部１７を押し下げた状態を維持しながら、連結相手部材２１から離間させる方向に光コネクタプラグ１５を引っ張ることを要する。このような光コネクタプラグ１５の着脱構造として、例えば、２連のコネクタプラグとして特許文献１に記載されたものが知られている。
【先行技術文献】
【特許文献】
【０００５】
【特許文献１】特開２００４−３５４６９３号公報
【発明の概要】
【発明が解決しようとする課題】
【０００６】
しかし、従来の光コネクタプラグは、上述した様に、連結相手部材から離脱させるには、押し下げる操作と引っ張る操作との２つの操作が必要であって、しかも、その押し下げた状態を維持しながら、引っ張る操作を行わなければならないという、操作性の悪いものである。ＬＣ形コネクタプラグは光通信機器に高密度に実装されるので、当該機器装置内での作業では、密集した光コードを掻き分けて作業者の指よりも小さいＬＣ形コネクタプラグを摘まみ、前記２つの操作でロックを解除して前記ＬＣ形コネクタプラグを離脱しなければならないからである。本発明に係る光コネクタプラグは、このような課題を解決するために提案されたものである。
【課題を解決するための手段】
【０００７】
本発明に係る光コネクタプラグは、フェルールを保持して連結相手部材の嵌合部に嵌合するフロントハウジングと、該フロントハウジングの後部側で前後方向にスライド自在に該フロントハウジングに装着されるリアハウジングとからなる光コネクタプラグであって、前記フロントハウジングは、フロントハウジング本体と、その上側外壁面に形成された弾性を有するラッチ片とを有するとともに、該ラッチ片は、前記連結相手部材の嵌合用係合部に係合するように形成されたロック用係止部と、当該嵌合用係合部から前記ロック用係止部を係合状態から解除させるように形成された解除部とを有しており、前記リアハウジングは、筒本体と、その上側に形成された解除レバーを有するとともに、該解除レバーは、該解除レバーの前部に形成されるとともに前記ラッチ部の解除部に該リアハウジングの後退時に係合して解除作用させるためのフック部と、該解除レバーの後部に形成された後退用の摘まみ部を有してなり、前記解除レバーに形成されたフック部は、該光コネクタプラグのフロントハウジングとリアハウジングの組み立て時に、前記フック部が前記ラッチ片の解除部の下に摺接しながら入り込むとともに、当該フック部の先端側のテーパ部で前記解除部を押し上げて当該解除部の前側に形成したスリットに進入し遊嵌されることによって組み立てられてなる光コネクタプラグである。【０００８】
前記ラッチ片に形成されたロック用係止部は、弾性を有する該ラッチ片の左右側壁面からそれぞれ突設された左右一対のロック用係止部であるとともに、前記解除部は、前記左右一対のロック用係止部の間に形成されていることが好ましい。【０００９】
前記フロントハウジングの後端部には、当該後端部に前記リアハウジングを装着し前進させた状態で、当該フロントハウジングの後側に隣接する位置に、前記リアハウジングの後方へのスライドを阻止する前記阻止部材を装着させるための溝部が形成されていることが好ましい。
さらに、前記フロントハウジングの後部に差し込まれたプラグフレームを有し、前記溝部は、該プラグフレームの後部に形成されていることが好ましい。【００１０】
前記阻止部材は、前記フロントハウジングの長手方向の軸線に対して直交する方向から前記溝部に差し込めるように、一部にスリットを有する断面Ｃ形の環状筒体に形成されていることが好ましい。【００１１】
前記リアハウジングの解除レバーには、該解除レバーの前部に形成した前記フック部と後部に形成した摘まみ部との間に、前記リアハウジングを前進させるための反力部として機能する突起部が突設されていることが好ましい。
【発明の効果】
【００１２】
本発明による光コネクタプラグは、連結相手部材から離脱させる際には、リアハウジングに設けた解除レバーを、後方に、つまり、嵌合方向とは反対の方向に引くだけの単一の操作で、連結相手部材から当該光コネクタプラグを離脱させることができる。従って、離脱させるための操作数が減り、作業操作性が改善され向上する。【００１３】
更に、一対のロック用係止部の間に解除部が設けられるので、従来の様な前後に長い寸法のラッチ片にならず、そのラッチ片の長さを短くして形成することができるので、材料費を低減することができる。そして、解除部の前にスリットを設けるので、より材料費が低減できて、軽量化にも貢献するものである。【００１４】
更に、リアハウジングによる誤脱防止のために、当該リアハウジングのスライドを阻止する阻止部材があるので、意図せずに誤って嵌合状態のリアハウジングを後方に解除してしまうことが防止され、安全性が向上する。【００１５】
また、この阻止部材は、断面Ｃ形の環状筒体なので、プラグフレームの溝部に装着する作業が容易であり、作業能率が向上する、という優れた効果を奏するものである。【００１６】
また、リアハウジングの解除レバーに、前進させる際の反力部として機能する突起部があるので、嵌合時において光コネクタプラグを前進させやすくなるものである。
【図面の簡単な説明】
【００１７】
【図１】本発明に係る光コネクタプラグを示す斜視図である。
【図２】同光コネクタプラグを示す側面図である。
【図３Ａ】同光コネクタプラグにおけるフロントハウジングを前方から視た斜視図である。
【図３Ｂ】図３Ａに示すフロントハウジングを後方から視た斜視図である。
【図４Ａ】同フロントハウジングを示す正面図である。
【図４Ｂ】同フロントハウジングを示す側面図である。
【図４Ｃ】同フロントハウジングを示す平面図である。
【図５】同フロントハウジングの、図４ＣにおけるＡ−Ａ線断面図である。
【図６Ａ】同光コネクタプラグにおけるリアハウジングを前方から視た斜視図である。
【図６Ｂ】同リアハウジングを後方から視た斜視図である。
【図７Ａ】同リアハウジングを示す正面図である。
【図７Ｂ】同リアハウジングを示す側面図である。
【図７Ｃ】同リアハウジングを示す平面図である。
【図８】図７ＣにおけるＢ−Ｂ線断面図である。
【図９Ａ】同光コネクタプラグの嵌合・組み立て時において、リアハウジングの解除レバーとフロントハウジングのラッチ片とが係合する前の状態を示す、フロントハウジングとリアハウジングの一部縦断面である。
【図９Ｂ】図９Ａに示す状態からリアハウジングを前進させて、解除レバーとラッチ片とが係合し、テーパ部で解除部が押し上げられた状態を示す、フロントハウジングとリアハウジングの一部縦断面である。
【図９Ｃ】図９Ｂに示す状態から更にリアハウジングを前進させて、フック部が解除部の前側に設けたスリットに進入し遊嵌されるとともに、解除部がラッチ片の弾力性で下がって元の位置に復帰した状態を示す、フロントハウジングとリアハウジングの一部縦断面である。
【図９Ｄ】同フロントハウジングとリアハウジングの組み立て完了状態を示す一部縦断面である。
【図１０Ａ】同リアハウジングの解除レバーとフロントハウジングのラッチ片とが係合する前の状態の光コネクタプラグを示す側面図である。
【図１０Ｂ】同光コネクタプラグを示す平面図である。
【図１０Ｃ】図１０Ａに示す状態からリアハウジングを前進させて、解除レバーとラッチ片とが係合し、テーパ部で解除部が押し上げられた状態の光コネクタプラグを示す側面図である。
【図１０Ｄ】同光コネクタプラグを示す平面図である。
【図１０Ｅ】図１０Ｃに示す状態から更にリアハウジングを前進させて、フック部が解除部の前側に設けたスリットに進入し遊嵌されるとともに、解除部がラッチ片の弾力性で下がって元の位置に復帰した状態の同光コネクタプラグを示す側面図である。
【図１０Ｆ】同光コネクタプラグを示す平面図である。
【図１１Ａ】同光コネクタプラグが連結相手部材と連結した状態の、フロントハウジングとリアハウジングを示す一部縦断面である。
【図１１Ｂ】図１１Ａに示す状態からリアハウジングを後方へ引いて、フック部の後端部が解除部に係合し、フック部が解除部を押し下げる途中の状態の、フロントハウジングとリアハウジングを示す一部縦断面である。
【図１１Ｃ】図１１Ｂに示す状態から更にリアハウジングを後方へ引いて、フック部が解除部を押し下げて、光コネクタプラグを連結相手部材からの離脱可能となった状態の、フロントハウジングとリアハウジングを示す一部縦断面である。
【図１１Ｄ】同光コネクタプラグが連結相手部材から離脱された図１１Ｃに示す状態から、解除レバーから指が離されて、連結前と同じ状態となったフロントハウジングとリアハウジングを示す一部縦断面である。
【図１２Ａ】同リアハウジングの離脱作用を阻止する阻止部材を示す前方から視た斜視図である。
【図１２Ｂ】図１２Ａに示す阻止部材を示す後方から視た斜視図である。
【図１３Ａ】図１２Ａに示す阻止部材を光コネクタプラグに左方向から装着する前の状態を示す後方から視た斜視図である。
【図１３Ｂ】同阻止部材を光コネクタプラグに左方向から装着した状態を示す後方から視た斜視図である。
【図１３Ｃ】同阻止部材を光コネクタプラグに右方向から装着する前の状態を示す後方から視た斜視図である。
【図１３Ｄ】同阻止部材を光コネクタプラグに下方向から装着する前の状態を示す後方から視た斜視図である。
【図１４Ａ】従来例に係る光コネクタプラグを示す斜視図である。
【図１４Ｂ】同光コネクタプラグを示す側面図である。
【図１５Ａ】同光コネクタプラグの嵌合状態を示す部分断面図である。
【図１５Ｂ】同光コネクタプラグを連結相手部材との連結状態から離脱させるときの、離脱操作を示す模式図である。
【発明を実施するための形態】
【００１８】
本発明に係る光コネクタプラグ１は、図１乃至図２に示すように、リアハウジング３に、単一の操作で連結相手部材方からリアハウジング３を簡単に連結解除するための、解除レバー３ａを設けたものである。
【実施例１】
【００１９】
本発明に係る光コネクタプラグ１は、図１乃至図２に示すように、光通信接続用のフェルール２ｂを保持して、連結相手部材（アダプタ、レセプタクル）の嵌合部に嵌合する、合成樹脂製で概略矩形状の筒体であるフロントハウジング本体２ｍを有するフロントハウジング２と、該フロントハウジング２の後部側で前後方向にスライド自在に装着される合成樹脂製で矩形状の筒本体３ｅを有するリアハウジング３とから構成されている。【００２０】
前記フロントハウジング２の構造について説明すると、図３Ａ乃至図５に示すように、前記フロントハウジング本体２ｍの上側の外壁面に形成された弾性を有するラッチ片２ａを有している。該ラッチ片２ａには、前記連結相手部材の嵌合用係合部（図示せず）に係合するための一対のロック用係止部２ｃと、該嵌合用係合部（図示せず）から前記ロック用係止部２ｃを係合解除させるための解除部２ｄとが形成されている。ラッチ片２ａに形成された一対のロック用係止部２ｃは、無負荷状態においては、連結相手部材の係合部（図示せず）と係合してロックされる位置となり、押し下げられた状態においては、連結相手部材の係合部（図示せず）との係合が解除される位置となるように構成されている。つまり、この一対のロック用係止部２ｃと連結相手部材の嵌合用係合部との係合によって、光コネクタプラグ１は連結相手部材（アダプタ、レセプタクル）と連結されロックされるものである。【００２１】
前記ラッチ片２ａにおいて、一対のロック用係止部２ｃは、ラッチ片２ａの後端部の左右側壁面から左右外方に向かってそれぞれ突設され、ラッチ片２ａの解除部２ｄは、前記左右一対のロック用係止部２ｃ，２ｃの間に形成されている。【００２２】
また、図３Ａ、図４Ｃおよび図５に示すように、前記解除部２ｄの前側には前端が低い傾斜面２ｎが形成されたおり、その前方にはスリット２ｅが形成されている。つまり、スリット２ｅの後方は、後端が高い傾斜面２ｎとなっている。さらに、図４Ｂに示すように、符号２ｆは、後述のリアハウジング３が後方に移動されたときにストッパーとして機能する後方規制部を示し、符号２ｇは、図５に示されるような、ガイド用スリットを示し、その先端面は、前方規制端面２ｋとなっていて、リアハウジング３の前方移動の位置規制部として機能する。【００２３】
また、図４Ｂに示すように、符号２ｈは、リアハウジング３の抜け止めとして機能するために形成されたリアハウジング用係合凹部を示し、該リアハウジング用係合凹部２ｈの後方面は、リアハウジング３の後方向への移動を規制する前記後方規制部２ｆとなっている。また、図４Ｂ及び図５に示す符号２ｉは、後述のプラグフレーム４をフロントハウジング２に嵌合・係止させる係止窓部を示している。【００２４】
次に、前記リアハウジング３の構造について説明する。図６Ａ乃至図８に示すように、前記リアハウジング３は、筒本体３ｅと、筒本体３ｅの上部に形成された解除レバー３ａとを有している。解除レバー３ａは、解除レバー３ａの前部に形成されるとともに、該リアハウジング３の後退時に前記ラッチ片２ａの解除部２ｄに係合して解除作用させるフック部３ｂと、解除レバー３ａの後部に形成された後退用の摘まみ部３ｃとを有している。【００２５】
前記リアハウジング３の解除レバー３ａには、前部のフック部３ｂと後部の摘まみ部３ｃとの間に、このリアハウジング３を前進させるための反力部として機能する突起部３ｄが突設されている。【００２６】
また、前記解除レバー３ａの下面には、図７Ｂに示すように、前後方向に沿って細長い矩形状のガイドレール３ｆが突設されている。このガイドレール３ｆは、前記フロントハウジング本体２ｍに形成されたガイド用スリット２ｇにその後方から挿入され前後方向にガイドされる。そして、図７Ａおよび図７Ｂに示すように、前記ガイドレール３ｆの前端部は、位置規制端部３ｉであって、ガイド用スリット２ｇの前方規制端面２ｋ（図５参照）に当接して、リアハウジング３の前方への移動が規制される。【００２７】
更に、前記リアハウジング３を構成する前記筒本体３ｅと前記解除レバー３ａとは一体となるように形成されている。筒本体３ｅが前記フロントハウジング本体２ｍの後方の筒状の部分を囲繞して嵌装するように、筒本体３ｅはフロントハウジング本体２ｍよりも大きく形成されている。【００２８】
この筒本体３ｅの内側左右両面には、テーパ面３ｋと頂面３ｍと位置規制端面３ｊを有する規制突起３ｇ（図７Ａおよび図８参照）が突設されており、光コネクタプラグの組み立て時に、該規制突起３ｇが前記フロントハウジング本体２ｍに形成された係合凹部２ｈに落ち込んで係合し、該係合凹部２ｈの後方壁面である後方規制部２ｆに位置規制端面３ｊ（図８参照）が当接して、リアハウジング３がフロントハウジング２から後方へ抜け出すことが阻止されるとともに、位置決めがなされる。【００２９】
前記フロントハウジング２とリアハウジング３とを、図１に示すように、組み立てるには、図９Ａと図１０Ａ、図１０Ｂとに示すように、フロントハウジング２にフェルール２ｂ、そして後述のプラグフレーム４等を挿着した後、フロントハウジング本体２ｍが筒本体３ｅに差し込まれるように、リアハウジング３を後方からフロントハウジング２に嵌合し、更に、リアハウジング３を前進させ嵌合・装着させて、図９Ａもしくは図１０Ａおよび図１０Ｂに示された状態とする。【００３０】
次に、前記リアハウジング３を前進させると、図９Ｂもしくは図１０Ｃ、図１０Ｄに示すように、リアハウジング３の解除レバー３ａに形成されたフック部３ｂが前記ラッチ片２ａの解除部２ｄの下に摺接しながら入り込むとともに、当該フック部３ｂの先端側のテーパ部３ｈで前記解除部２ｄをラッチ片２ａの弾性力に抗して押し上げて、図９Ｃに示すように、フック部３ｂが当該解除部２ｄの前側に形成されたスリット２ｅに下方から進入し遊嵌される。ラッチ片２ａは、押し上げられた上位置から、ラッチ片２ａの弾性力で下がり元の位置に復帰する。【００３１】
それと同時に、リアハウジング３の筒本体３ｅの内側に形成された規制突起３ｇ（図７Ａ参照）も、フロントハウジング２のリアハウジング用係合凹部２ｈ（図３Ａ参照）に落とし込まれて係合する。これにより、図９Ｃに示すように、リアハウジング３は、フロントハウジング２のガイド用スリット２ｇの前方規制端面２ｋに、当該リアハウジング３の位置規制端部３ｉが当接して、前方の移動が規制され、かつ、規制突起３ｇの位置規制端面３ｊ（図８参照）がリアハウジング用係合凹部２ｈの後方規制部２ｆに当接して、抜け出しが防止されると共に後方への移動が規制される。こうして、図９Ｄもしくは図１０Ｅ、図１０Ｆに示すように、組み立てが完了する。【００３２】
以上のように構成される光コネクタプラグ１の使用において、光コネクタプラグ１を、連結相手部材であるアダプタやレセプタクルに連結・光接続させる方法を説明する。まず、図１に示す状態、つまり、図９Ｄもしくは図１０Ｅ、図１０Ｆに示す組み立てが完了した状態の光コネクタプラグ１をフロントハウジング２の先端部から連結相手部材（図示せず）の嵌合開口部に差込み、解除レバー3aの部分に指を掛けて押し、光コネクタプラグ１を連結相手部材（図示せず）の嵌合部に挿入する。【００３３】
その挿入に伴って、前記フロントハウジング２のラッチ片２ａが、連結相手部材の嵌合部に係合して、一旦、ラッチ片２ａの弾性力に抗して下に押し下げられることにより、前記ラッチ片２ａの一対のロック用係止部２ｃが連結相手部材の係合部（図示せず）よりも低い位置となる。光コネクタプラグ１を更に挿入すると、一対のロック用係止部２ｃが連結相手部材の係合部（図示せず）の下側を通過し、前記ラッチ片２ａの一対のロック用係止部２ｃが、ラッチ片２ａの弾性力で押し上げられて、連結相手部材の係合部（図示せず）に係合して、光コネクタプラグ１が連結相手部材に連結・光接続され、光コネクタプラグ１が連結相手部材から抜け出ない状態となる。【００３４】
さらに、光コネクタプラグ１の使用において、上記連結相手部材と連結・光接続された後、前記光コネクタプラグ１を、連結相手部材から離脱させる方法としては、まず、上記連結相手部材と連結・光接続された時の光コネクタプラグ１を示す図１１Ａの状態から、光コネクタプラグ１における解除レバー３ａの摘まみ部３ｃに指を掛けて、リアハウジング３を後方へ引く。【００３５】
リアハウジング３を後方へ引くと、フロントハウジング２に対してリアハウジング３が後方へ摺動し、図１１Ｂに示すように、スリット２ｅ内に遊嵌されたフック部３ｂの後端が、解除部２ｄの前側に形成された傾斜面２ｎに係合し、傾斜面２ｎ上を後方に向かって摺動するように、ラッチ片２ａの弾性力に抗して該解除部２ｄを押し下げる。これにより、ラッチ片２ａの後端部に形成された左右一対のロック用係止部２ｃが、連結相手部材の嵌合用係合部（図示せず）から係合解除される。【００３６】
上記のように、解除レバー３ａのフック部３ｂの後方移動により、ラッチ片２ａの解除部２ｄとともにロック用係止部２ｃを押し下げて、ロック用係止部２ｃが連結相手部材の嵌合用係合部（図示せず）から係合解除されるので、さらにリアハウジング３を後方へ引くと、連結相手部材から光コネクタプラグ１が離脱される。なお、その際、前記リアハウジング３の後方への移動は、筒本体３ｅの内側に形成した規制突起３ｇ（図８参照）が、リアハウジング用係合凹部２ｈの後方規制部２ｆに当接して移動停止され規制されるため、リアハウジング３がフロントハウジング２から分離することなく、リアハウジング３とともにフロントハウジング２も一緒に後方へ引かれることによって、光コネクタプラグ１が連結相手部材から離脱されるものである。【００３７】
その後、前記解除レバー３ａから指を離すことで、図１１Ｃから図１１Ｄにかけて示すように、ラッチ片２ａの弾性力により、解除部２ｄが上がり、この解除部２ｄ前方の傾斜面２ｎに係合しているフック部３ｂが、該傾斜面２ｎによって、スリット２ｅ内で前方に向けて押し出される。【００３８】
こうして、光コネクタプラグ１は、図１１Ｄに示すように、連結前の元の状態に戻るものである。このように、光コネクタプラグ１を、連結相手部材から離脱させるには、前記リアハウジング３を後方に引くだけでよく、その後方に引く単一の操作によって、離脱させることができる。よって、離脱作業に手間が掛からず、その操作性が向上するものである。【００３９】
また、光コネクタプラグ１の離脱作業が、単一の操作で完了し、極めて容易であることから、意図せずに誤って連結相手部材から離脱させると大きな被害となる場合もある。そこで、離脱することを意図しない場合は、光コネクタプラグと連結相手部材との連結状態を維持し、光コネクタプラグ１を連結相手部材から簡単に離脱させないような構成とすべく対処する必要がある。【００４０】
その対処として、図１２Ａ、図１２Ｂに示すような、リアハウジング３の後方への移動を阻止する阻止部材７を装着する。該阻止部材７は、図示するように、フロントハウジング２の長手方向の軸線に対して直交する方向から、図１、図２に示す溝部５に差し込めるように、一部にスリット７ａを有する断面Ｃ形の環状筒体に形成されている。【００４１】
一方、図１、図２に示すように、フロントハウジング２の後端部には、当該後端部にリアハウジング３を装着し前進させた状態で、当該フロントハウジング２の後側に隣接する位置に、前記リアハウジング３の後方へのスライドを阻止する阻止部材７を装着するための溝部５が設けられている。【００４２】
前記溝部５を形成するために、図１、図２に示すように、フロントハウジング２とは別体で、筒状体の後方にフランジを設けたプラグフレーム４が、当該フロントハウジングの後方開口部に挿入・装着され、その一部が係止窓部２ｉ（図５参照）に係合して固定されている。つまり、溝部５はプラグフレーム４の後部に形成されている。なお、プラグフレーム４は、光ファイバーケーブル（図示せず）を保護したブーツ６を担持する部材である。【００４３】
前記光コネクタプラグ１における溝部５と、前記阻止部材７とにより、図１３Ａおよび図１３Ｂに示すように、光コネクタプラグ１に対して前記阻止部材７を溝部５に差し込んで装着する。これにより、前記阻止部材７の幅部分が介装されて、リアハウジング３がそれ以上後方に移動できなくなる。なお、この阻止部材７を光コネクタプラグ１から撤去するには、専用治具などを使用するものである。【００４４】
また、前記阻止部材７は、予め光コネクタプラグ１に装着しておいて、装着したまま、この光コネクタプラグ１を連結相手部材に嵌合させてもよいし、あるいは、光コネクタプラグ１を連結相手部材に嵌合・連結させた後に、阻止部材７を光コネクタプラグ１の溝部５に装着してもよく、いずれも、任意である。【００４５】
また、図１３Ａ、図１３Ｂのみならず、図１３Ｃ、図１３Ｄにも示すように、前記阻止部材７を、光コネクタプラグ１に対して、フロントハウジングの長手方向（前後方向）の軸線に対して直交する方向であれば、左側から若しくは右側から、あるいは、下方向から装着することができる。【００４６】
光通信機器に高密度に多数の光コネクタプラグ１を実装する状況においても、実体に応じて操作しやすい方向から阻止部材７を取り付けたり、取り外したりできるものである。なお、多数の光コネクタプラグ１を実装する場合は、多数の阻止部材７の外表面に、色彩の異なる材質を使用することによって、あるいは、色彩を付すことによって、他の阻止部材７と明確に区別できる様にすることが、誤脱を防止する上で好ましいものである。
【産業上の利用可能性】
【００４７】
本発明に係る光コネクタプラグ１は、既存のＬＣ形コネクタ（アダプタ、レセプタクル）に対して使用することができて、容易に操作性が向上するものである。
【符号の説明】
【００４８】
１          光コネクタプラグ、
２          フロントハウジング、      ２ａ          ラッチ片、
２ｂ        フェルール、              ２ｃ          ロック用係止部、
２ｄ        解除部、                  ２ｅ          スリット、
２ｆ        後方規制部、              ２ｇ          ガイド用スリット、
２ｈ        リアハウジング用係合凹部、２ｉ          係止窓部、
２ｊ        フェルール付勢部材、      ２ｋ          前方規制端面、
２ｍ        フロントハウジング本体、  ２ｎ          傾斜面、
３          リアハウジング、          ３ａ          解除レバー、
３ｂ        フック部、                ３ｃ          摘まみ部、
３ｄ        突起部、                  ３ｅ          筒本体、
３ｆ        ガイドレール、            ３ｇ          規制突起、
３ｈ        テーパ部、                ３ｉ          位置規制端部、
３ｊ        位置規制端面、            ３ｋ          テーパ面
３ｍ        頂面
４          プラグフレーム、
５          溝部、
６          ブーツ、
７          阻止部材、                ７ａ          スリット、
１５        従来の光コネクタプラグ、
１６        フロントハウジング、
１７        ラッチ部、                １７ａ        係合突起、
１７ｂ      先端部、
１８        リアハウジング、
１９        解除バー、                １９ａ        先端部、
２０        フェルール、              ２１        連結相手部材。
【図１】
2015068461.tif 000003
【図２】
2015068461.tif 000004
【図３Ａ】
2015068461.tif 000005
【図３Ｂ】
2015068461.tif 000006
【図４Ａ】
2015068461.tif 000007
【図４Ｂ】
2015068461.tif 000008
【図４Ｃ】
2015068461.tif 000009
【図５】
2015068461.tif 000010
【図６Ａ】
2015068461.tif 000011
【図６Ｂ】
2015068461.tif 000012
【図７Ａ】
2015068461.tif 000013
【図７Ｂ】
2015068461.tif 000014
【図７Ｃ】
2015068461.tif 000015
【図８】
2015068461.tif 000016
【図９Ａ】
2015068461.tif 000017
【図９Ｂ】
2015068461.tif 000018
【図９Ｃ】
2015068461.tif 000019
【図９Ｄ】
2015068461.tif 000020
【図１０Ａ】
2015068461.tif 000021
【図１０Ｂ】
2015068461.tif 000022
【図１０Ｃ】
2015068461.tif 000023
【図１０Ｄ】
2015068461.tif 000024
【図１０Ｅ】
2015068461.tif 000025
【図１０Ｆ】
2015068461.tif 000026
【図１１Ａ】
2015068461.tif 000027
【図１１Ｂ】
2015068461.tif 000028
【図１１Ｃ】
2015068461.tif 000029
【図１１Ｄ】
2015068461.tif 000030
【図１２Ａ】
2015068461.tif 000031
【図１２Ｂ】
2015068461.tif 000032
【図１３Ａ】
2015068461.tif 000033
【図１３Ｂ】
2015068461.tif 000034
【図１３Ｃ】
2015068461.tif 000035
【図１３Ｄ】
2015068461.tif 000036
【図１４Ａ】
2015068461.tif 000037
【図１４Ｂ】
2015068461.tif 000038
【図１５Ａ】
2015068461.tif 000039
【図１５Ｂ】
2015068461.tif 000040
【国際調査報告】
2015068461.tif 000041
2015068461.tif 000042
2015068461.tif 000043
2015068461.tif 000044